(57)【要約】      （修正有）【課題】  調理や後片づけなど目的に合わせて高さや大きさを自由に設定できる、厨房家具・ダイニングテーブルを提供する。【解決手段】  部屋の中央に、シンクカウンター１と埋め込み型の電磁調理器を備えるクッキングダイニングテーブル２を隣接するように配置し、シンクカウンター１とクッキングダイニングテーブル２は昇降自在とした。【選択図】        図１
2006068415.tif 000002
【特許請求の範囲】
【請求項１】
部屋の中央に、カランと排水口を備えたシンクカウンターと埋込型の電磁調理器を備えるクッキングダイニングテーブルを隣接するように平面視Ｌ型に配置し、シンクカウンターとクッキングダイニングテーブルは夫々独立して昇降自在としたことを特徴とするアイランド型の厨房家具。
【請求項２】
シンクカウンターに回転するように軸止したモニターを設けたことを特徴とする請求項１記載の厨房家具。
【発明の詳細な説明】
【技術分野】
【０００１】
この発明は、部屋の中央にシンク・加熱機器を配置する、いわゆるアイランド型の厨房家具に好適なもので、特に広いダイニングキッチン（ＤＫ）或いはリビングダイニングキッチン（ＬＤＫ）において、シンクカウンターと埋込型の電磁調理器を備えるクッキングダイニングテーブルを隣接するように配置し、シンクカウンターとクッキングダイニングテーブルは上下昇降自在とするものである。
【背景技術】
【０００２】
従来より、ダイニングキッチンやリビングダイニングキッチンのように開放的なキッチンスペースを備えた間取りでは、対面型キッチンや対話型キッチンと称されている、流しや加熱機器を含む厨房家具を壁面から部屋の中央に突き出すように配置して、部屋の中を向いて調理作業ができる厨房家具が提案され、市場に提供されている。そして、このような厨房家具に隣接してダイニングテーブルを配置したものが特許文献１、特許文献２及び特許文献３に示すように提案されている。
これに対して、アイランド型は、壁から離れ小島のように流しや加熱機器を含む厨房家具を配置するもので古くより提案はされ、販売されている。
従来のアイランド型の厨房家具では、流しや加熱機器は固定的に配置しているので、用途の拡がりがなく、調理台を同じ高さで一体に接続するか、或いは別途ダイニングテーブルを用意することになっていた。
アイランド型の厨房家具に隣接してダイニングテーブルを配置した例としては、非特許文献１に掲載されている。
【０００３】
一方調理作業では、予め所定量切断した食材、調味料、調理の途中で一時的に鍋に入れた儘冷ましたり、次の調理手順を待つために食材などを置く必要がある。さらには、調理済の料理を盛る大皿や銘々皿への盛り付けなどで広いスペースを必要とすることが多く、なるべく広い調理スペースを確保することが要請されていた。
【０００４】
一方、流し台を含む厨房家具では電動昇降式とすることが、特許文献４、特許文献５で提案されている。特許文献２は特に車椅子利用者に配慮したものと認められる。また、調理実習台では特許文献６で健常者、車椅子利用者の双方が利用できるように昇降自在としたものが提案されている。
リビングダイニングキッチンルーム用の厨房家具としては、非特許文献２として提示するようにダイニングカウンターに電磁調理器を組み込んでシンクカウンターに隣接配置したものが提案されている。
厨房家具の床からの高さは、一般的に８０ｃｍや８５ｃｍであり、ダイニングテーブルのそれは、７０ｃｍ程度であるので、恒久的な段差が外観を損なうばかりか、座る場所によっては常に厨房家具が視線に入るので雰囲気を損なうことにもなりかねなかった。
【特許文献１】意匠登録第１１３２８９８号公報  使用状態を示す参考図（２）
【特許文献２】意匠登録第１１３３６８２号公報  使用状態を示す参考図（２）
【特許文献３】意匠登録第１１９２７９７号公報
【特許文献４】特開２００１−１１２５５０公報
【特許文献５】特開２００３−１１１６３０公報
【特許文献６】特開平９−９８８４２号公報
【非特許文献１】図解インテリアコーディネータ用語辞典  株式会社井上書院                      １９９３年９月２０日  Ｐ１８４
【非特許文献２】ＮＡＩＳＫＩＴＣＨＥＮ  総合カタログ２００４．６．２３現在                  松下電工株式会社Ｐ２１
【発明の開示】
【発明が解決しようとする課題】
【０００５】
従来では部屋の中を向いて作業できる対面型キッチンやアイランド型と称される厨房家具であっても、ダイニングテーブルを近接して配置することは一般的であるが調理における立ち作業と、椅子に座っての食事では床面からの高さに大きな違いがあって調理、片付けと食事は一緒のスペースとすることはできなかった。
そこで、コミュニケーションを必須とする大型ＬＤＫには適切ではなかった。
具体的には、次の課題があった。
（１）キッチンカウンターとダイニングテーブルに連続性（両者の高さ、位置関係）がなく、調理時に使用できるカウンター面が、短くかつ狭い。そのためキッチンに向かって調理できる人数が限られ、多人数での共同料理には向かない。
（２）盛り付けた料理等をダイニングテーブル側に移動する場合、高さの違いや離れているために、その都度持ち運ぶ必要が生じた。
（３）ダイニングテーブルが低いために、立って調理の下ごしらえをする場合に、腰が痛くなる。
（４）特に車椅子に乗る身障者や高齢者の場合、キッチンとダイニングテーブル間を移動すると、高さの違いによって作業がしにくい。
（５）ダイニングテーブルに座った場合、キッチンカウンターが高く目障りとなって圧迫感が生じる。
（６）ダイニングテーブルに座った場合、キッチンカウンターが高くリビング側への視界を遮る恐れがあり、リビング側の人との会話の支障となる。
（７）大型ＬＤＫルームに設置した場合、キッチンカウンターが高くダイニングテーブルが低いために空間の開放的雰囲気を損なう。
（８）テレビやパソコンなどの情報機器の設置場所がなく、キッチン側、ダイニング側から容易に見ることができなかった。
【課題を解決するための手段】
【０００６】
この発明は、このような従来技術の課題を解決すべく開発し、比較的広いダイニングキッチンやリビングダイニングキッチンに配置するのに好適なものである。請求項１の発明に係るアイランド型の厨房家具は、部屋の中央に、カランと排水口を備えたシンクカウンターと埋込型の電磁調理器を備えるクッキングダイニングテーブルを隣接するように平面視Ｌ型に配置し、シンクカウンターとクッキングダイニングテーブルは夫々独立して昇降自在としたことを特徴とするものである。
【０００７】
請求項２の発明は、シンクカウンターに回転するように軸止したモニターを設けたことを特徴とするものである。
【発明の効果】
【０００８】
請求項１の発明では、台所における作業スペースはアイランド型としたことでシンクカウンターとクッキングダイニングテーブルの周辺に拡がり、しかも、夫々を昇降自在としたことで作業者の身長や作業動作に合わせた適切な高さ設定とすることで作業効率が良好となり、しかも、クッキングダイニングテーブルが調理台を兼用することができるのでシンクカウンターを中心に家族が集まって作業をすることができる。食事の際はシンクカウンターを下降させ全体をクッキングダイニングテーブルと同じ高さとすると、埋め込み型の平坦な電磁加熱機を採用することで、厨房家具の傍らで食事をしているという違和感を払拭できるのである。
加えて、シンクを引き出し式或いは蓋付きとすれば全く視線から外れることになり、カウンター面を広く使うことができる。
【０００９】
シンクカウンターとクッキングダイニングテーブルの昇降範囲を適切な範囲とすることにより、作業をするカウンターの高さを適宜設定できることになる。ちなみに、起立状態での作業の適切な高さは、身長の半分に５ｃｍを加えた高さであるといわれる。
【００１０】
夫婦で調理する場合に、１５０ｃｍの身長の妻はシンクカウンターを８０ｃｍに設定し、１７０ｃｍの夫はクッキングダイニングテーブルを９０ｃｍに調整設定すれば、各々が快適な作業面の高さとなり、共同作業が負担でなくなる。（図７参照）
従来例と同じであるが、クッキングダイニングテ−ブルを低くして夫妻で共同作業する場合は、妻がシンク廻りで作業中に、夫は料理の下ごしらえ、主に手作業の細々した作業（大根おろし、ごますり、野菜の皮むき・へた取り、餃子の包み）と分担して会話を楽しみながら調理できることになる。（図８参照）また、クッキングダイニングテ−ブルを低くして子供がテーブルで宿題や予習勉強をしているのを見守りながら食事の準備をすることができる。（図９参照）
【００１１】
シンクカウンター及び又はクッキングダイニングテーブルを同じ高さで低くすれば、蕎麦打ちのように広いスペ−スを使って力を入れる作業スペ−スを確保できることになる。（図１０参照）
シンクカウンタ−及びクッキングダイニングテーブルを同じ高さで立ち作業に適するよう高くすれば、広大で平坦な作業面が現出することになり、ゆとりをもって調理作業を行える。（図１１参照）
クッキングダイニングテーブルを低くすることで、寸胴鍋で煮込み調理をすると、中が覗き込み易く、煮込み具合が分かり易く、併せて、皿への取り分けや盛り付けも安全にできることになる。さらにシンクカウンターを低くすれば車椅子に座っていてもシンクでの作業が行えるのである。（図１２参照）
【００１２】
シンクカウンターとクッキングダイニングテーブルを平面視Ｌ型に配置したので、クッキングダイニングテーブルの周囲に家族が揃って座って食事をしてもシンクカウンターを同じ高さにしたり、若干高めにしてもシンクを収納してしまえば、シンクは視界に入らず雰囲気を損なうことがない。（図１３参照）
【００１３】
請求項２の発明では、クッキングダイニングテーブルに隣接するシンクカウンターに軸止して回転するモニターを設置したので、モニターの向きを好みにしてテレビやパソコンなどの情報機器に繋げて楽しむことができるのである。
【発明を実施するための最良の形態】
【００１４】
以下図面に示すこの発明の実施の形態に即して説明する。
図１は、この発明に係るアイランド型の厨房家具ＦをダイニングキッチンＫに配置した例を示す斜視図である。
部屋の壁面に沿わせて、冷凍冷蔵庫Ｒ、引き出しやスライドする扉を備えた食器や食材などの収納庫Ｂ、中央にカウンターをもって電子レンジ・ト−スタ−・炊飯器等の家電製品をおく空間を備えるようにし、上部に下降する吊戸棚、カウンター直下に引き出し、最下部に引き出し式の食器洗浄機とごみ収納容器を並列するようにしたハッチ風のトールボックスＣを並列するようにしてある。
【００１５】
アイランド型の厨房家具Ｆは、シンクカウンター１と埋込型の電磁調理器Ｈ、Ｈを備えるクッキングダイニングテーブル２を隣接するように配置し、シンクカウンター１とクッキングダイニングテーブル２は夫々独自に昇降自在としてある。
そして、クッキングダイニングテーブル２の上部には照明器具を兼ねたルーフフード３を吊り下げ、図示しないが室外に続く排気ダクトを巡らせるようにする。
クッキングダイニングテーブル２の周囲には椅子４を配置するようにする。
【００１６】
シンクカウンター１は、床面に置く薄板状の台板１１と一体とした角筒１２とからなる台輪１３と、角筒１２の外周に被せるようにした角筒１４とその上に一体に設ける径の大きなシンク１５を内蔵するようにしたカウンター１６とからなる。
シンク１５は引き出し式に内蔵し、シンク１５の奥には繰出式のカラン１５ａを設け、シンク１５の底には排水口１５ｂを設けるようにしてある。給水管Ｗや排水管Ｄは角筒１２、１４内からに床面を貫通するようにしてある。
そこで、カウンター１６の上面は常態では平坦面となる。１７はナイフや調理器具を納める引き出しであり、１８はカウンター１６の一部を載せ台とする秤で食材などの重量を計り、モニター１９に出力する。このモニター１９は、パソコンやテレビ等の情報機器に繋げて画面としても用いることができるもので、回転するように軸止めするようにしてある。このようにモニター１９が回転できるので、クッキングダイニングテーブル２側，シンクカウンター１側を問わず必要によって周囲からその画像を見ることができると共に、会話や作業の邪魔にならない位置にむけることができる。
【００１７】
クッキングダイニングテーブル２は、シンクカウンター１に近い箇所に複数の電磁調理器Ｈ、Ｈを埋設するようにして、トップは平坦面としてある。このクッキングダイニングテーブル２も、薄板状の台板２１と一体にした角筒２２とからなる台輪２３、２３と、この台輪２３、２３の外周に被せるようにした角筒２４とその上に一体に設ける長方形の大きなテーブル２５とからなるものである。
【００１８】
詳細な図示は省略するが、電動昇降させるには、従来公知の適宜の手段を採用することができる。昇降手段はシンクカウンター１及びクッキングダイニングテーブル２の夫々に別途独立して設けるようにするが、隣接するように配置するので、間に挟まれて怪我をしないように、接合箇所に手などの身体の部分が入り込まないような肉薄硬質のガードフィルム（プレート）を介在させたり、間に異物が存在するときにはセンサーで検知して昇降をストップする手段を設けるようにすることが望ましい。
シンクカウンター１及びクッキングダイニングテーブル２の側面上部には昇降手段のスイッチを設けるようにする。またクッキングダイニングテーブル２の電磁調理器Ｈ、Ｈに近接してオンオフスイッチを設けるようにする。
【００１９】
昇降範囲は、シンクカウター１は７０ｃｍから９０ｃｍ程度、クッキングダイニングテーブル２は６０ｃｍから９０ｃｍ程度と設定することが好ましい。起立状態での一般的に作業のし易い高さは、身長の半分プラス５ｃｍ程度と言われていることからシンクカウンター１の昇降範囲を設定した。勿論、この範囲から外れる人のために昇降範囲を変更することもできる。クッキングダイニングテーブル２はシンクカウンター１の低い高さよりさらに１０ｃｍ程度低く設定した。
【００２０】
図示の例では、シンクカウンター１の平面形状を正方形に、クッキングダイニングテーブル２を平面ほぼ２倍半の大きさの長方形状として、全体として平面Ｌ型としてある。
クッキングダイニングテーブル２のシンクカウンター１側の短辺には二つの電磁調理器Ｈ、Ｈを配してシンクカウンター１の近い箇所に電磁調理器Ｈを配置するようにして作業性に配慮している。
また、クッキングダイニングテーブル２を下降させて食卓テーブルとするときに、椅子４を並べて近くに集うことができる。
【図面の簡単な説明】
【００２１】
【図１】この発明に係るアイランド型の厨房家具ＦをダイニングキッチンＫに配置した斜視図である。
【図２】シンクカウンターの側面図である。
【図３】シンクの平面図である。
【図４】シンクの側面図である。
【図５】クッキングダイニングテーブルの平面図である。
【図６】クッキングダイニングテーブルの側面図である。
【図７】この発明に係るアイランド型の厨房家具の使用状態の概略図である。
【図８】この発明に係るアイランド型の厨房家具の使用状態の概略図である。
【図９】この発明に係るアイランド型の厨房家具の使用状態の概略図である。
【図１０】この発明に係るアイランド型の厨房家具の使用状態の概略図である。
【図１１】この発明に係るアイランド型の厨房家具の使用状態の概略図である。
【図１２】この発明に係るアイランド型の厨房家具の使用状態の概略図である。
【図１３】この発明に係るアイランド型の厨房家具の使用状態の概略図である。
【符号の説明】
【００２２】
Ｆ    アイランド型の厨房家具
１    シンクカウンター
１９  モニター
２    クッキングダイニングテーブル
３    ルーフフード
４    椅子
【図１】
2006068415.tif 000003
【図２】
2006068415.tif 000004
【図３】
2006068415.tif 000005
【図４】
2006068415.tif 000006
【図５】
2006068415.tif 000007
【図６】
2006068415.tif 000008
【図７】
2006068415.tif 000009
【図８】
2006068415.tif 000010
【図９】
2006068415.tif 000011
【図１０】
2006068415.tif 000012
【図１１】
2006068415.tif 000013
【図１２】
2006068415.tif 000014
【図１３】
2006068415.tif 000015